(57)【特許請求の範囲】
【請求項１】
画像データを格納する記憶手段と、発信者から画像データを受信して発信者情報とともに記憶手段に格納した後、格納した画像データを所定の転送先に転送し、画像データを転送した旨及び発信者情報を上記転送先に対応する報知先に報知する制御手段とを備え、
上記制御手段は、上記発信者情報に基づき、先の報知から所定時間内に同一の発信者からの画像データを転送したときは上記の報知を省略し、
上記制御手段は、上記発信者情報に基づき、直前に転送した発信者と異なる発信者からの画像データを転送したときに上記の報知を行うことを特徴とする通信端末装置。
【発明の詳細な説明】
【０００１】
【発明の属する技術分野】
本発明は、画像転送及び報知機能を備えた通信端末装置に関する。
【０００２】
【従来の技術】
例えば、従来技術のファクシミリ装置において、ファクシミリの画像データを受信して画像メモリに一旦格納した後、予め登録された転送先に転送する装置が実用化されている。
【０００３】
【発明が解決しようとする課題】
しかしながら、従来技術のファクシミリ装置においては、例えば会社の担当者が本社に不在時に営業所などの外出先にファクシミリの画像データを転送する場合、当該担当者は営業活動中であって営業所に到着していないとき、担当者はファクシミリの画像データが転送されたか否かが解らないという問題点があった。
【０００４】
本発明の目的は以上の問題点を解決し、画像データの転送機能を有する通信端末装置において、転送された画像データの受取者が外出中であっても転送の事実を知ることができるファクシミリ装置などの通信端末装置を提供することにある。
【０００５】
【課題を解決するための手段】
本発明に係る通信端末装置は、画像データを格納する記憶手段と、発信者から画像データを受信して発信者情報とともに記憶手段に格納した後、格納した画像データを所定の転送先に転送し、画像データを転送した旨及び発信者情報を上記転送先に対応する報知先に報知する制御手段とを備え、
上記制御手段は、上記発信者情報に基づき、先の報知から所定時間内に同一の発信者からの画像データを転送したときは上記の報知を省略し、
上記制御手段は、上記発信者情報に基づき、直前に転送した発信者と異なる発信者からの画像データを転送したときに上記の報知を行うことを特徴とする。
【０００８】
【発明の実施の形態】
以下、図面を参照して本発明に係る実施形態について説明する。
【０００９】
＜実施形態＞
図１は、本発明に係る実施形態である、画像転送及び報知機能を有するファクシミリ装置２０の構成を示すブロック図であり、図２は、本実施形態に係る画像転送及び報知機能を行うシステム構成を示すブロック図である。図１及び図２において、ファクシミリ装置２０は、画像転送及び報知機能を有する装置であって、図２に示すように、発信者ファクシミリ装置３１から着信があったときに、以下に示すように、公衆電話網３０を介して転送先ファクシミリ装置３２に転送した後、転送の旨及び発信者情報を報知先携帯電話機３３に報知することを特徴としている。
【００１０】
この実施形態のファクシミリ装置２０は、画像転送及び報知機能を有するファクシミリ装置であって、画像データを格納する画像メモリ８を備え、主制御部１は、発信者ファクシミリ装置３１から画像データを受信して画像メモリ８に格納した後（図５のステップＳ２５）、格納した画像データを、ＲＡＭ７内の転送先テーブル７ａに予め登録された転送先ファクシミリ装置３２に転送し（図６のステップＳ３４−Ｓ３８）、画像データを転送した旨及び発信者情報を上記転送先テーブル７ａにおいて上記転送先に対応する報知先の携帯電話機３３に報知する（図７のステップＳ４６及びＳ４７）ことを特徴としている。ここで、主制御部１は、直前に転送した発信者と異なる発信者からの画像データを転送したときに（図７のステップＳ４２でＮＯ）上記の報知を行い、また、先の報知から所定時間内に同一の発信者からの画像データを転送したときは（ステップＳ４３でＮＯ）上記の報知を省略する。
【００１１】
図１において、ファクシミリ装置２０は、従来のＧ３方式等のファクシミリ通信機能を備えるとともに、画像転送及び報知機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１２】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１３】
ＲＯＭ６は、当該ファクシミリ装置２０の動作に必要であって主制御部１によって実行される種々のソフトウェアのプログラムを予め格納し、ここで、当該プログラムは、少なくとも図５乃至図７の着信及び転送処理を含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１４】
音声合成部９は、例えば、パルス発生器と雑音発生器と利得可変型増幅器とフィルタとを備え、公知の音声合成方法を用いて、主制御部１からの制御により、主制御部１からの音声合成すべき文字列のテキストデータを所定のパラメータ時系列に変換した後、そのピッチに基づいてパルス発生器を制御し、有声／無声の切り換えに基づいてパルス発生器と雑音発生器とを選択的に切り換えて使用し、振幅値に基づいて利得可変型増幅器を制御し、フィルタ係数値に基づいて上記フィルタを制御することにより、上記文字列の音声を音声合成した後、ＮＣＵ１１及び公衆電話回線Ｌを介して相手先や転送先に送出する。本実施形態では、音声合成部９は、主制御部１の制御信号に基づいて、”（発信元の名称）からの通信を（転送先の名称）にＮ枚転送しました”という画像データを転送した旨及び発信者情報を含む音声を音声合成して公衆電話回線Ｌを介して報知先に送出する。ここで、Ｎは画像データの転送枚数である。
【００１５】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作、並びにフッキング信号（公衆電話回線Ｌにおける直流ループを所定の短い時間だけ一時的に開放してすぐに閉結する信号をいう。）の送出を行いかつ自動ダイヤル機能を有するハードウェア回路であり、必要に応じてファックスモデム１０を公衆電話回線Ｌに接続する。ここで、ＮＣＵ１１は、発信電話番号通知サービス（例えば、ＮＴＴにおける”ナンバーディスプレイサービス”である。）におけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１６】
以上のように構成された本実施形態のファクシミリ装置２０は、通常のＧ３方式等のファクシミリ通信機能に加えて、画像転送及び報知機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１７】
図３は、図１の転送先テーブル７ａの一例を示す図である。図３に示すように、転送先テーブル７ａでは、発信者毎に、発信者の名称、発信者のファクシミリ番号、転送先の名称、転送先のファクシミリ番号、報知の要否、音声又は文字の報知形式、報知先番号がテーブル形式で格納される。本実施形態では、報知先は、例えば携帯電話機３３であり、報知形式の「音声」は通話による回線接続を行って、画像データを転送した旨及び発信者情報を音声合成部９を用いて音声合成して報知先に報知し、報知形式の「文字」は文字メールを送信するためのパケット送信（例えば、ＮＴＴドコモで提供されるショートメールである。）を行って、画像データを転送した旨及び発信者情報を含む文字データを報知先に送信することにより報知する。なお、文字メールは、インターネット経由で送信するインターネットメールであってもよい。この場合、転送先テーブル７ａの報知先番号にはインターネットのメールアドレスが記載され、ファクシミリ装置２０は、例えばルータ装置を介してインターネットに接続されてファクシミリ装置２０から報知のための電子メールが所定の報知先に送信される。
【００１８】
図４乃至図７は、図１のファクシミリ装置の主制御部１によって実行される着信及び転送処理を示すフローチャートである。
【００１９】
図４において、まず、ステップＳ１において１６Ｈｚの着信信号を検出したか否かが判断され、ＹＥＳとなるまでステップＳ１の処理を繰り返し、ＹＥＳのときに、ステップＳ２において１６Ｈｚの着信信号はメーク率が５０％か否かが判断され、すなわち発信電話番号通知サービスによる受信であるか否かが判断される。ステップＳ２でＹＥＳのときはステップＳ３に進む一方、ＮＯのときはステップＳ７に進む。ステップＳ３において交換機との間で直流ループを形成して１次応答信号を送信し、ステップＳ４において、電気通信事業者が発信電話番号通知サービスに基づいて交換機に予め登録した発信電話番号情報を検出したか否かが判断される。ステップＳ４でＹＥＳのときはステップＳ５に進む一方、ＮＯであるときはステップＳ１１で７秒間待機して交換機のタイムアウトを待ち、それにより着信拒否を行った後、ステップＳ１２で回線開放して当該着信及び転送処理を終了する。
【００２０】
ステップＳ５において発信電話番号情報をＲＡＭ７内の一時メモリ（図示せず。）に格納し、ステップＳ６において直流ループを断として受信完了信号を送信した後、ステップＳ７において呼出信号を検出したか否かが判断され、ステップＳ８においてオフフックしたか否かが判断される。ステップＳ７及びＳ８ではＹＥＳとなるまでその処理が繰り返され、ともにＹＥＳのときは、ステップＳ９において交換機との間で直流ループを形成して２次応答信号を送信して図５のステップＳ２１に進む。
【００２１】
図５のステップＳ２１においてＤＩＳ信号を送出し、ステップＳ２２においてＴＳＩ信号を検出し、次いで、ステップＳ２３においてＤＣＳ信号及びトレーニング信号を検出する。さらに、ステップＳ２４においてＣＦＲ信号を送出し、ステップＳ２５において画像データを受信して画像メモリ８に格納する。そして、ステップＳ２６においてＥＯＰ信号を検出し、ＭＣＦ信号を送出した後、ステップＳ２７において回線開放して図６のステップＳ３１に進む。
【００２２】
図６のステップＳ３１において転送モードが設定済みか否かが判断され、ＹＥＳのときはステップＳ３２に進む一方、ＮＯのときはステップＳ３３に進む。ステップＳ３２において転送すべき発信者か否かが判断され、ＹＥＳのときはステップＳ３４に進む一方、ＮＯのときはステップＳ３３に進む。ステップＳ３３では画像記録部３を用いて画像データの画像を記録紙にプリントして当該着信及び転送処理を終了する。一方、ステップＳ３４において発信電話番号情報サービスによる発信電話番号情報又はファクシミリの通信手順で用いるＴＳＩ信号に基づいて発信者の番号を特定し、ＲＡＭ７内の転送先テーブル７ａに基づいて上記特定された発信者に対応する、転送先の名称、そのファクシミリ番号、報知の要否、報知形式、報知先番号を含むデータを取得した後、画像データの転送先にダイヤルして発呼する。そして、ステップＳ３５において転送先からのＤＩＳ信号を検出し、ステップＳ３６においてＤＣＳ信号及びトレーニング信号を送出し、ステップＳ３７においてＣＦＲ信号を検出する。さらに、ステップＳ３８において画像メモリ８内の受信された画像データを読み出して転送先に対して送出した後、ステップＳ３９においてＥＯＰ信号を送出し、ＭＣＦ信号を検出し、ＤＣＮ信号を送出する。そして、ステップＳ４０において回線開放して図７のステップＳ４１に進む。
【００２３】
ステップＳ４１において転送先テーブル７ａ内の転送の要否情報に基づいて、報知すべき発信者からの通信であるか否かが判断され、ＹＥＳのときはステップＳ４２に進む一方、ＮＯのときは報知先に報知せずに当該着信及び転送処理を終了する。次いで、ステップＳ４２において発信者は直前に転送した通信の発信者と同じか否かが判断され、ＹＥＳのときはステップＳ４３に進む一方、ＮＯのときはそのまま直接にステップＳ４４に進む。すなわち、直前に転送した発信者と異なる発信者からの画像データを転送したときはステップＳ４４以降に進み報知を行う。また、ステップＳ４３において直前の転送から所定時間以上経過しているか否かが判断され、ＹＥＳのときはステップＳ４４に進む一方、ＮＯのときは報知先に報知せずに当該着信及び転送処理を終了する。すなわち、先の報知から所定時間内に同一の発信者からの画像データを転送したときは上記の報知を省略する。
【００２４】
次いで、ステップＳ４４において報知先の携帯電話機の電話番号にダイヤルして発呼し、ステップＳ４５において報知形式は音声か否かが判断され、ＹＥＳであるときは、ステップＳ４６において“（発信元の名称）からの画像データを（転送先の名称）にＮ枚転送しました”なる報知文（ここで、（  ）内は上記ステップＳ３４で転送先テーブル７ａから取得したデータを挿入する。以下、同様である。）を音声合成部９を用いて音声合成して音声合成音に変換して報知先の携帯電話機３３に送出した後、ステップＳ４８で回線開放して当該着信及び転送処理を終了する。一方、ステップＳ４５でＮＯであって報知形式が文字であるときは、ステップＳ４７において“（発信元の名称）からの通信を（転送先の名称）にＮ枚転送しました”なる報知文を文字情報でパケット送信して当該着信及び転送処理を終了する。
【００２５】
以上説明したように、本実施形態によれば、主制御部１は、発信者ファクシミリ装置３１から画像データを受信して画像メモリ８に格納した後（図５のステップＳ２５）、格納した画像データを、ＲＡＭ７内の転送先テーブル７ａに予め登録された転送先ファクシミリ装置３２に転送し（図６のステップＳ３４−Ｓ３８）、画像データを転送した旨及び発信者情報を上記転送先テーブル７ａにおいて上記転送先に対応する報知先の携帯電話機３３に報知する（図７のステップＳ４６及びＳ４７）。従って、画像データが転送されたことが外出先などですぐに解り、画像データの転送の問い合わせなどの必要がなく、操作性を大幅に向上させることができる。
【００２６】
また、主制御部１は、直前に転送した発信者と異なる発信者からの画像データを転送したときに（図７のステップＳ４２でＮＯ）上記の報知を行い、また、先の報知から所定時間内に同一の発信者からの画像データを転送したときは（ステップＳ４３でＮＯ）上記の報知を省略する。従って、無駄な報知を省略することができ、度々の無駄な報知で煩わされることがない。なお、音声合成音で報知したときは、音声で報知するので解り易いという利点がある。
【００２７】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２８】
以上の実施形態においては、図７のステップＳ４７又はＳ４８で、発信元の名称と、転送先の名称を報知先に報知しているが、本発明はこれに限らず、発信元の名称に代えて発信元の電話番号又はファクシミリ番号であってもよいし、転送先の名称に代えて転送先の電話番号又はファクシミリ番号であってもよい。図７のステップＳ４７又はＳ４８において、画像データの送信枚数Ｎを報知しているが、本発明はこれに限らず、省略してもよい。
【００２９】
以上の実施形態において、ステップＳ４２の処理を省略するようにしてもよい。また、報知先は携帯電話機３３に限定されず、ＰＨＳ電話機、通常の電話機や、ファクシミリ装置、例えばノート型パーソナルコンピュータのモデム装置などの通信端末装置であってもよい。
【００３０】
【発明の効果】
以上詳述したように本発明に係る通信端末装置によれば、画像データを格納する記憶手段と、発信者から画像データを受信して記憶手段に格納した後、格納した画像データを所定の転送先に転送し、画像データを転送した旨及び発信者情報を上記転送先に対応する報知先に報知する制御手段とを備える。従って、画像データが転送されたことが外出先などですぐに解り、画像データの転送の問い合わせなどの必要がなく、操作性を大幅に向上させることができる。
【００３１】
また、上記通信端末装置において、上記制御手段は、直前に転送した発信者と異なる発信者からの画像データを転送したときに上記の報知を行う。さらに、上記通信端末装置において、上記制御手段は、先の報知から所定時間内に同一の発信者からの画像データを転送したときは上記の報知を省略する。従って、無駄な報知を省略することができ、度々の無駄な報知で煩わされることがない。
【図面の簡単な説明】
【図１】  本発明に係る実施形態である、画像転送及び報知機能を有するファクシミリ装置２０の構成を示すブロック図である。
【図２】  本実施形態に係る画像転送及び報知機能を行うシステム構成を示すブロック図である。
【図３】  図１の転送先テーブル７ａの一例を示す図である。
【図４】  図１のファクシミリ装置の主制御部１によって実行される着信及び転送処理の第１の部分を示すフローチャートである。
【図５】  図１のファクシミリ装置の主制御部１によって実行される着信及び転送処理の第２の部分を示すフローチャートである。
【図６】  図１のファクシミリ装置の主制御部１によって実行される着信及び転送処理の第３の部分を示すフローチャートである。
【図７】  図１のファクシミリ装置の主制御部１によって実行される着信及び転送処理の第４の部分を示すフローチャートである。
【符号の説明】
１…主制御部、
６…ＲＯＭ、
７…ＲＡＭ、
７ａ…転送先テーブル、
８…画像メモリ、
９…音声合成部、
１０…ファックスモデム、
１１…ＮＣＵ、
１２…ハンドセット、
１３…バス、
２０…ファクシミリ装置、
３０…公衆電話網、
３１…発信者ファクシミリ装置、
３２…転送先ファクシミリ装置、
３３…報知先携帯電話機、
Ｌ…公衆電話回線。
【図１】
0003709761.tif 000002
【図２】
0003709761.tif 000003
【図３】
0003709761.tif 000004
【図４】
0003709761.tif 000005
【図５】
0003709761.tif 000006
【図６】
0003709761.tif 000007
【図７】
0003709761.tif 000008